【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
前記ＵＥに関連付けられたトリガリングイベントの発生に少なくとも部分的に基づいて、非周期的トラッキング基準信号（ＴＲＳ）の送信のために使用されるべきリソースを識別するトリガ信号を受信することと、
ここにおいて、前記非周期的ＴＲＳは、トラッキングのためのチャネル状態情報基準信号（ＣＳＩ−ＲＳ）を備え、
前記トリガ信号及び前記識別されたリソースに少なくとも部分的に基づいて、前記非周期的ＴＲＳを受信することと、
前記トリガリングイベントの前記発生に応答して、及び前記非周期的ＴＲＳに少なくとも部分的に基づいて、トラッキング機能、又は同期機能、又はアラインメント機能、又はそれらの組み合わせのうちの少なくとも１つを実行することと、
ここにおいて、前記トリガリングイベントは、ビーム変更イベントを備え、前記トリガ信号は、前記ビーム変更イベントにおいてアクティブ化されているビームのためのリソースのインジケーションを備える、
を備える、方法。
【請求項２】
前記トリガ信号は、ダウンリンク制御インジケータ（ＤＣＩ）中で受信される、請求項１に記載の方法。
【請求項３】
前記トリガ信号は、前記非周期的ＴＲＳがトリガされることを示すフィールド又は前記トリガリングイベントを示すフィールドのうちの少なくとも１つを搬送し、前記トリガリングイベントの前記インジケーションは、前記非周期的ＴＲＳがトリガされるという前記インジケーションを備える、請求項２に記載の方法。
【請求項４】
前記非周期的ＴＲＳの送信のために使用されるべき前記リソースを識別するダウンリンク許可ＤＣＩを受信すること
を更に備え、任意選択的に、
ゼロ許可又は無効許可を識別するために、前記ダウンリンク許可ＤＣＩのダウンリンク許可フィールドのビットの第１の部分を復号することと、
前記非周期的ＴＲＳがトリガされたという前記インジケーションを識別するために、第２のフィールドの第２の部分のビットを復号することと、前記第２のフィールドは、前記ダウンリンク許可フィールドのビットの前記第１の部分とは異なる、
を更に備え、任意選択的に、
前記第２のフィールドの前記ビットは、前記トリガリングイベントが発生したことを示し、前記トリガリングイベントの前記インジケーションは、前記非周期的ＴＲＳがトリガされることを更に示す、請求項２に記載の方法。
【請求項５】
前記非周期的ＴＲＳが受信されるのと同じスロット中で前記ＤＣＩを受信すること、または、
前記非周期的ＴＲＳが受信されるスロットとは異なるスロット中で前記ＤＣＩを受信すること
を更に備える、請求項２に記載の方法。
【請求項６】
前記ＤＣＩは、フォールバックＤＣＩフォーマット又は非フォールバックＤＣＩフォーマットのうちの少なくとも１つを備え、および／または、
前記ＤＣＩは、前記非周期的ＴＲＳに関連付けられた送信タイミングパラメータのインジケーションを備える、請求項２に記載の方法。
【請求項７】
前記ＵＥのアクティブビームを通して前記トリガ信号を受信することと、
前記ビーム変更イベントにおいてアクティブ化されている前記ビームを通して前記非周期的ＴＲＳを受信することと、ここにおいて、前記アクティブ化されたビームは、前記アクティブビームとは異なり、前記トリガ信号中で識別される前記リソースは、前記アクティブ化されたビームを通しての前記非周期的ＴＲＳの送信のために使用されるアクティブ化されたビームリソースを備える、
を更に備える、請求項１に記載の方法。
【請求項８】
ユーザ機器（ＵＥ）におけるワイヤレス通信のための装置であって、
前記ＵＥに関連付けられたトリガリングイベントの発生に少なくとも部分的に基づいて、非周期的トラッキング基準信号（ＴＲＳ）の送信のために使用されるべきリソースを識別するトリガ信号を受信するための手段と、
ここにおいて、前記非周期的ＴＲＳは、トラッキングのためのチャネル状態情報基準信号（ＣＳＩ−ＲＳ）を備え、
前記トリガ信号及び前記識別されたリソースに少なくとも部分的に基づいて、前記非周期的ＴＲＳを受信するための手段と、
前記トリガリングイベントの前記発生に応答して、及び前記非周期的ＴＲＳに少なくとも部分的に基づいて、トラッキング機能、又は同期機能、又はアラインメント機能、又はそれらの組み合わせのうちの少なくとも１つを実行するための手段と、
ここにおいて、前記トリガリングイベントは、ビーム変更イベントを備え、前記トリガ信号は、前記ビーム変更イベントにおいてアクティブ化されているビームのためのリソースのインジケーションを備える、
を備える、装置。
【請求項９】
前記トリガ信号は、ダウンリンク制御インジケータ（ＤＣＩ）中で受信される、請求項８に記載の装置。
【請求項１０】
前記トリガ信号は、前記非周期的ＴＲＳがトリガされることを示すフィールド又は前記トリガリングイベントを示すフィールドのうちの少なくとも１つを搬送し、前記トリガリングイベントの前記インジケーションは、前記非周期的ＴＲＳがトリガされるという前記インジケーションを備える、請求項９に記載の装置。
【請求項１１】
前記非周期的ＴＲＳの送信のために使用されるべき前記リソースを識別するダウンリンク許可ＤＣＩを受信するための手段
を更に備え、任意選択的に、
ゼロ許可又は無効許可を識別するために、前記ダウンリンク許可ＤＣＩのダウンリンク許可フィールドのビットの第１の部分を復号するための手段と、
前記非周期的ＴＲＳがトリガされたという前記インジケーションを識別するために、第２のフィールドの第２の部分のビットを復号するための手段と、前記第２のフィールドは、前記ダウンリンク許可フィールドのビットの前記第１の部分とは異なる、
を更に備え、任意選択的に、
前記第２のフィールドの前記ビットは、前記トリガリングイベントが発生したことを示し、前記トリガリングイベントの前記インジケーションは、前記非周期的ＴＲＳがトリガされることを更に示す、請求項９に記載の装置。
【請求項１２】
前記非周期的ＴＲＳが受信されるのと同じスロット中で前記ＤＣＩを受信するための手段、または、
前記非周期的ＴＲＳが受信されるスロットとは異なるスロット中で前記ＤＣＩを受信するための手段
を更に備える、請求項９に記載の装置。
【請求項１３】
前記ＤＣＩは、フォールバックＤＣＩフォーマット又は非フォールバックＤＣＩフォーマットのうちの少なくとも１つを備え、および／または、
前記ＤＣＩは、前記非周期的ＴＲＳに関連付けられた送信タイミングパラメータのインジケーションを備える、請求項９に記載の装置。
【請求項１４】
前記ＵＥのアクティブビームを通して前記トリガ信号を受信するための手段と、
前記ビーム変更イベントにおいてアクティブ化されている前記ビームを通して前記非周期的ＴＲＳを受信するための手段と、
ここにおいて、前記アクティブ化されたビームは、前記アクティブビームとは異なり、前記トリガ信号中で識別される前記リソースは、前記アクティブ化されたビームを通しての前記非周期的ＴＲＳの送信のために使用されるアクティブ化されたビームリソースを備える、
を更に備える、請求項８に記載の装置。
【請求項１５】
プロセッサによって実行されると、前記プロセッサに、請求項１〜６のいずれか一項に記載の方法を行わせる命令を備える、コンピュータ可読媒体。
【手続補正２】
【補正対象書類名】明細書
【補正対象項目名】０２７１
【補正方法】変更
【補正の内容】
【０２７１】
[0279]本明細書での説明は、当業者が本開示を製造又は使用することを可能にするために提供される。本開示に対する様々な修正は、当業者にとって容易に明らかとなり、本明細書で定義された包括的な原理は、本開示の範囲から逸脱することなしに他の変形に適用され得る。このことから、本開示は、本明細書で説明された例及び設計に限定されず、本明細書で開示された原理及び新規の特徴と一致する最も広い範囲が付与されるべきである。
以下に、本願の出願当初の特許請求の範囲に記載された発明を付記する。
［Ｃ１］
ユーザ機器（ＵＥ）におけるワイヤレス通信のための方法であって、
前記ＵＥに関連付けられたトリガリングイベントの発生に少なくとも部分的に基づいて、非周期的トラッキング基準信号（ＴＲＳ）の送信のために使用されるべきリソースを識別するトリガ信号を受信することと、
前記トリガ信号及び前記識別されたリソースに少なくとも部分的に基づいて、前記非周期的ＴＲＳを受信することと、
前記トリガリングイベントの前記発生に応答して、及び前記非周期的ＴＲＳに少なくとも部分的に基づいて、トラッキング機能、又は同期機能、又はアラインメント機能、又はそれらの組み合わせのうちの少なくとも１つを実行することと
を備える、方法。
［Ｃ２］
前記非周期的ＴＲＳは、非周期的チャネル状態情報基準信号（ＣＳＩ−ＲＳ）とは別個であるトラッキングのためのＣＳＩ−ＲＳを備える、Ｃ１に記載の方法。
［Ｃ３］
前記トリガ信号は、ダウンリンク制御インジケータ（ＤＣＩ）中で受信される、Ｃ１に記載の方法。
［Ｃ４］
前記トリガ信号は、前記非周期的ＴＲＳがトリガされることを示すフィールド又は前記トリガリングイベントを示すフィールドのうちの少なくとも１つを搬送し、前記トリガリングイベントの前記インジケーションは、前記非周期的ＴＲＳがトリガされるという前記インジケーションを備える、Ｃ３に記載の方法。
［Ｃ５］
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、Ｃ３に記載の方法。
［Ｃ６］
前記トリガリングイベントが発生するより前に同期信号ブロック（ＳＳＢ）送信を受信すること
を更に備える、Ｃ３に記載の方法。
［Ｃ７］
前記非周期的ＴＲＳの送信のために使用されるべき前記リソースを識別するアップリンク許可ＤＣＩを受信すること
を更に備える、Ｃ３に記載の方法。
［Ｃ８］
チャネル状態情報基準信号の送信のために使用されるべき追加のリソースを識別するために、前記アップリンク許可ＤＣＩを復号すること
を更に備える、Ｃ７に記載の方法。
［Ｃ９］
前記非周期的ＴＲＳの送信のために使用されるべき前記リソースを識別するダウンリンク許可ＤＣＩを受信すること
を更に備える、Ｃ３に記載の方法。
［Ｃ１０］
ゼロ許可又は無効許可を識別するために、前記ダウンリンク許可ＤＣＩのダウンリンク許可フィールドのビットの第１の部分を復号することと、
前記非周期的ＴＲＳがトリガされたという前記インジケーションを識別するために、第２のフィールドの第２の部分のビットを復号することと、前記第２のフィールドは、前記ダウンリンク許可フィールドのビットの前記第１の部分とは異なる、
を更に備える、Ｃ９に記載の方法。
［Ｃ１１］
前記第２のフィールドの前記ビットは、前記トリガリングイベントが発生したことを示し、前記トリガリングイベントの前記インジケーションは、前記非周期的ＴＲＳがトリガされることを更に示す、Ｃ１０に記載の方法。
［Ｃ１２］
前記非周期的ＴＲＳが受信されるのと同じスロット中で前記ＤＣＩを受信すること
を更に備える、Ｃ３に記載の方法。
［Ｃ１３］
前記非周期的ＴＲＳが受信されるスロットとは異なるスロット中で前記ＤＣＩを受信すること
を更に備える、Ｃ３に記載の方法。
［Ｃ１４］
前記ＤＣＩは、フォールバックＤＣＩフォーマット又は非フォールバックＤＣＩフォーマットのうちの少なくとも１つを備える、Ｃ３に記載の方法。
［Ｃ１５］
前記ＤＣＩは、前記非周期的ＴＲＳに関連付けられた送信タイミングパラメータのインジケーションを備える、Ｃ３に記載の方法。
［Ｃ１６］
前記トリガ信号は、媒体アクセス制御（ＭＡＣ）制御要素（ＣＥ）中で受信される、Ｃ１に記載の方法。
［Ｃ１７］
前記ＭＡＣ ＣＥに少なくとも部分的に基づいてセカンダリセルがアクティブ化されたと決定すること
を更に備える、Ｃ１６に記載の方法。
［Ｃ１８］
前記非周期的ＴＲＳは、前記ＭＡＣ ＣＥの定義された待機期間後に受信される、Ｃ１７に記載の方法。
［Ｃ１９］
前記ＭＡＣ ＣＥに少なくとも部分的に基づいてビーム変更イベントが発生したと決定すること
を更に備える、Ｃ１６に記載の方法。
［Ｃ２０］
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、Ｃ１６に記載の方法。
［Ｃ２１］
前記トリガリングイベントは、セカンダリセルアクティブ化を備え、
前記ＵＥのアクティブセルから前記トリガ信号を受信することと、
前記セカンダリセルアクティブ化においてアクティブ化されている前記セカンダリセルから前記非周期的ＴＲＳを受信することと、ここにおいて、前記トリガ信号中で識別される前記リソースは、前記非周期的ＴＲＳの送信のために使用されるセカンダリセルリソースを備える、
を更に備える、Ｃ１に記載の方法。
［Ｃ２２］
前記トリガリングイベントは、帯域幅部分切り替えイベントを備え、
前記ＵＥのアクティブ帯域幅部分を通して前記トリガ信号を受信することと、
前記帯域幅部分切り替えイベントにおいてアクティブ化されている帯域幅部分を通して前記非周期的ＴＲＳを受信することと、ここにおいて、前記アクティブ化された帯域幅部分は、前記アクティブ帯域幅部分とは異なり、前記トリガ信号中で識別される前記リソースは、前記アクティブ化された帯域幅部分を通しての前記非周期的ＴＲＳの送信のために使用されるアクティブ化された帯域幅部分リソースを備える、
を更に備える、Ｃ１に記載の方法。
［Ｃ２３］
前記トリガリングイベントは、ビーム変更イベントを備え、
前記ＵＥのアクティブビームを通して前記トリガ信号を受信することと、
前記ビーム変更イベントにおいてアクティブ化されているビームを通して前記非周期的ＴＲＳを受信することと、ここにおいて、前記アクティブ化されたビームは、前記アクティブビームとは異なり、前記トリガ信号中で識別される前記リソースは、前記アクティブ化されたビームを通しての前記非周期的ＴＲＳの送信のために使用されるアクティブ化されたビームリソースを備える、
を更に備える、Ｃ１に記載の方法。
［Ｃ２４］
ユーザ機器（ＵＥ）におけるワイヤレス通信のための方法であって、
非周期的トラッキング基準信号（ＴＲＳ）の送信のための１つ又は複数のリソースを識別する構成信号を受信することと、
前記ＵＥに関連付けられたトリガリングイベントが発生したと決定することと、
前記決定することに少なくとも部分的に基づいて、及び前記１つ又は複数のリソースに従って、前記非周期的ＴＲＳを受信することと
を備える、方法。
［Ｃ２５］
前記ＵＥがアイドルモード間欠受信状態で動作している間に前記ＵＥのためのページング機会中に前記非周期的ＴＲＳを受信すること、ここにおいて、前記ページング機会の発生は、前記トリガリングイベントを備える、
を更に備える、Ｃ２４に記載の方法。
［Ｃ２６］
接続モード間欠受信状態のオン持続時間前に前記非周期的ＴＲＳを受信することと、  前記非周期的ＴＲＳを受信することに少なくとも部分的に基づいて、データが前記ＵＥに通信されるべきであると決定することと、
前記データ通信のために前記間欠受信状態からアクティブ状態に遷移することと
を更に備える、Ｃ２４に記載の方法。
［Ｃ２７］
前記１つ又は複数のリソースは、送信タイミングパラメータを備え、前記送信タイミングパラメータは、前記トリガリングイベントの発生後の前記非周期的ＴＲＳの送信のための相対タイミングパラメータを備える、Ｃ２４に記載の方法。
［Ｃ２８］
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、Ｃ２４に記載の方法。
［Ｃ２９］
ユーザ機器（ＵＥ）におけるワイヤレス通信のための装置であって、
前記ＵＥに関連付けられたトリガリングイベントの発生に少なくとも部分的に基づいて、非周期的トラッキング基準信号（ＴＲＳ）の送信のために使用されるべきリソースを識別するトリガ信号を受信するための手段と、
前記トリガ信号及び前記識別されたリソースに少なくとも部分的に基づいて、前記非周期的ＴＲＳを受信するための手段と、
前記トリガリングイベントの前記発生に応答して、及び前記非周期的ＴＲＳに少なくとも部分的に基づいて、トラッキング機能、又は同期機能、又はアラインメント機能、又はそれらの組み合わせのうちの少なくとも１つを実行するための手段と
を備える、装置。
［Ｃ３０］
前記非周期的ＴＲＳは、非周期的チャネル状態情報基準信号（ＣＳＩ−ＲＳ）とは別個であるトラッキングのためのＣＳＩ−ＲＳを備える、Ｃ２９に記載の装置。
［Ｃ３１］
前記トリガ信号は、ダウンリンク制御インジケータ（ＤＣＩ）中で受信される、Ｃ２９に記載の装置。
［Ｃ３２］
前記トリガ信号は、前記非周期的ＴＲＳがトリガされることを示すフィールド又は前記トリガリングイベントを示すフィールドのうちの少なくとも１つを搬送し、前記トリガリングイベントの前記インジケーションは、前記非周期的ＴＲＳがトリガされるという前記インジケーションを備える、Ｃ３１に記載の装置。
［Ｃ３３］
前記トリガリングイベントは、セカンダリセルアクティブ化イベント、又は帯域幅部分切り替えイベント、又はビーム変更イベント、又は接続モード間欠受信イベント、又はアイドルモード間欠受信イベント、又はそれらの組み合わせのうちの少なくとも１つを備える、Ｃ３１に記載の装置。
［Ｃ３４］
前記トリガリングイベントが発生するより前に同期信号ブロック（ＳＳＢ）送信を受信するための手段
を更に備える、Ｃ３１に記載の装置。
［Ｃ３５］
前記非周期的ＴＲＳの送信のために使用されるべき前記リソースを識別するアップリンク許可ＤＣＩを受信するための手段
を更に備える、Ｃ３１に記載の装置。
［Ｃ３６］
チャネル状態情報基準信号の送信のために使用されるべき追加のリソースを識別するために、前記アップリンク許可ＤＣＩを復号するための手段
を更に備える、Ｃ３５に記載の装置。
［Ｃ３７］
前記非周期的ＴＲＳの送信のために使用されるべき前記リソースを識別するダウンリンク許可ＤＣＩを受信するための手段
を更に備える、Ｃ３１に記載の装置。
［Ｃ３８］
ゼロ許可又は無効許可を識別するために、前記ダウンリンク許可ＤＣＩのダウンリンク許可フィールドのビットの第１の部分を復号するための手段と、
前記非周期的ＴＲＳがトリガされたという前記インジケーションを識別するために、第２のフィールドの第２の部分のビットを復号するための手段と、前記第２のフィールドは、前記ダウンリンク許可フィールドのビットの前記第１の部分とは異なる、
を更に備える、Ｃ３７に記載の装置。
［Ｃ３９］
前記第２のフィールドの前記ビットは、前記トリガリングイベントが発生したことを示し、前記トリガリングイベントの前記インジケーションは、前記非周期的ＴＲＳがトリガされることを更に示す、Ｃ３８に記載の装置。
［Ｃ４０］
前記非周期的ＴＲＳが受信されるのと同じスロット中で前記ＤＣＩを受信するための手段
を更に備える、Ｃ３１に記載の装置。
［Ｃ４１］
前記非周期的ＴＲＳが受信されるスロットとは異なるスロット中で前記ＤＣＩを受信するための手段
を更に備える、Ｃ３１に記載の装置。
［Ｃ４２］
前記ＤＣＩは、フォールバックＤＣＩフォーマット又は非フォールバックＤＣＩフォーマットのうちの少なくとも１つを備える、Ｃ３１に記載の装置。
［Ｃ４３］
前記ＤＣＩは、前記非周期的ＴＲＳに関連付けられた送信タイミングパラメータのインジケーションを備える、Ｃ３１に記載の装置。
［Ｃ４４］
前記トリガ信号は、媒体アクセス制御（ＭＡＣ）制御要素（ＣＥ）中で受信される、Ｃ２９に記載の装置。
［Ｃ４５］
前記ＭＡＣ ＣＥに少なくとも部分的に基づいてセカンダリセルがアクティブ化されたと決定するための手段
を更に備える、Ｃ４４に記載の装置。
［Ｃ４６］
前記非周期的ＴＲＳは、前記ＭＡＣ ＣＥの定義された待機期間後に受信される、Ｃ４５に記載の装置。
［Ｃ４７］
ユーザ機器（ＵＥ）におけるワイヤレス通信のための装置であって、
非周期的トラッキング基準信号（ＴＲＳ）の送信のための１つ又は複数のリソースを識別する構成信号を受信するための手段と、
前記ＵＥに関連付けられたトリガリングイベントが発生したと決定するための手段と、  前記決定することに少なくとも部分的に基づいて、及び前記１つ又は複数のリソースに従って、前記非周期的ＴＲＳを受信するための手段と
を備える、装置。
［Ｃ４８］
前記ＵＥがアイドルモード間欠受信状態で動作している間に前記ＵＥのためのページング機会中に前記非周期的ＴＲＳを受信するための手段、ここにおいて、前記ページング機会の発生は、前記トリガリングイベントを備える、
を更に備える、Ｃ４７に記載の装置。